【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
プロセッサを制御して、呼吸可能ガスの測定された流量から換気の充足度を評価するための方法であって、
患者の呼吸を表す呼吸可能ガスの流量の測定値にアクセスするステップと、
前記流量の測定値から換気の測定値を引き出すステップと、
プロセッサにより、前記換気の測定値に基づいてヒストグラムを決定するステップとを含む方法。
【請求項２】
視覚表示デバイスに前記ヒストグラムのグラフを表示するステップをさらに含む、請求項１に記載の方法。
【請求項３】
前記ヒストグラムは、治療セッション中に取得される換気値の度数分布を表し、各換気値が時間間隔にわたる容量の測定値を含み、前記時間間隔が前記治療セッションの時間よりも短い、請求項１または２に記載の方法。
【請求項４】
前記時間間隔が約１分であり、前記治療セッションの時間が約数時間である、請求項３に記載の方法。
【請求項５】
前記プロセッサにおいて、前記ヒストグラムに関連するデータを処理して歪度指数を算出するステップと、
前記歪度指数を閾値と比較するステップと、
前記比較に基づいて低換気を示すステップと
をさらに含む、請求項１から４のいずれか一項に記載の方法。
【請求項６】
前記プロセッサにおいて、前記ヒストグラムに関連するデータを処理して歪度指数を算出するステップと、
前記歪度指数を閾値と比較するステップと、
前記比較に基づいて過換気を示すステップと
をさらに含む、請求項１から５のいずれか一項に記載の方法。
【請求項７】
前記プロセッサにおいて、前記ヒストグラムに関連するデータを処理して前記ヒストグラムのピークの数を検出するステップと、
前記検出されたピークの数に基づいて低換気の有無を示すステップと
をさらに含む、請求項１から６のいずれか一項に記載の方法。
【請求項８】
前記プロセッサにおいて、前記ヒストグラムに関連するデータを処理して尖度指数を決定するステップと、
前記尖度指数を閾値と比較するステップと、
前記比較に基づいて低換気の有無を示すステップと
をさらに含む、請求項１から７のいずれか一項に記載の方法。
【請求項９】
流量センサによる呼吸可能ガスの前記流量の測定を、前記プロセッサにより制御するステップをさらに含む、請求項１から８のいずれか一項に記載の方法。
【請求項１０】
前記ヒストグラムを表すデータを処理して、低換気事象の発生を表す低換気インジケータを生成するステップをさらに含む、請求項１から９のいずれか一項に記載の方法。
【請求項１１】
前記低換気インジケータが確率値を含む、請求項１０に記載の方法。
【請求項１２】
前記処理が、前記ヒストグラムのピークの検出を含む、請求項１０または１１に記載の方法。
【請求項１３】
前記処理が、前記ヒストグラムのピーク間の距離を算出するステップと、前記距離を確率空間に変換するステップとを含む、請求項１２に記載の方法。
【請求項１４】
前記処理が、前記ヒストグラムのピーク間の勾配を算出するステップを含む、請求項１２または１３に記載の方法。
【請求項１５】
前記処理が、前記勾配に対する面積を算出するステップと、前記面積を確率空間に変換するステップとを含む、請求項１４に記載の方法。
【請求項１６】
前記処理が、前記ヒストグラムの１組の特徴を算出するステップと、前記１組の特徴の評価に基づいて前記インジケータを生成するステップとを含む、請求項１０から１５のいずれか一項に記載の方法。
【請求項１７】
前記１組の特徴が、以下の特徴、すなわち、２つの最大ピーク間の勾配、最大ピークと中心点との間の勾配、２番目に大きなピークと中心点との間の勾配、２つの最大ピーク間の面積、最大ピークと中心点との間の面積、２番目に大きなピークと中心点との間の面積、形状特徴、尖度値、および歪度値のうちの２つ以上を含む、請求項１６に記載の方法。
【請求項１８】
漏れの測定値を決定するステップと、前記漏れの測定値に基づいて前記ヒストグラムのための換気の測定値を区別するステップとをさらに含む、請求項１から１７のいずれか一項に記載の方法。
【請求項１９】
換気安定性の測定値を決定するステップと、前記安定性の測定値に基づいて前記ヒストグラムのための換気の測定値を区別するステップとをさらに含む、請求項１から１８のいずれか一項に記載の方法。
【請求項２０】
前記換気安定性の測定値を前記決定するステップが、覚醒期間、無呼吸事象、周期性呼吸事象、および覚醒事象の検出のうちのいずれか１つまたは複数を含む、請求項１９に記載の方法。
【請求項２１】
患者の呼吸に起因する呼吸可能ガスの測定された流量を表すデータにアクセスするための、少なくとも１つのプロセッサを有するコントローラを備え、前記コントローラが、（ａ）換気の測定値を前記流量の測定値から引き出し、（ｂ）前記換気の測定値に基づいてヒストグラムを決定するようにさらに構成されている、換気評価装置。
【請求項２２】
前記コントローラが、視覚表示デバイスに前記ヒストグラムのグラフを表示するようにさらに構成されている、請求項２１に記載の装置。
【請求項２３】
前記ヒストグラムが、治療セッション中に取得される換気値の度数分布を表し、各換気値が時間間隔にわたる容量の測定値を含み、前記時間間隔が、前記治療セッションの時間よりも短い、請求項２１または２２に記載の装置。
【請求項２４】
前記時間間隔は約１分であり、前記治療セッションの時間は約数時間である、請求項２３に記載の装置。
【請求項２５】
前記コントローラが、
前記ヒストグラムに関連するデータを処理して歪度指数を算出し、
前記歪度指数を閾値と比較し、
前記比較に基づいて低換気の発生を示すようにさらに構成されている、請求項２１または２２に記載の装置。
【請求項２６】
前記コントローラが、
前記ヒストグラムに関連するデータを処理して歪度指数を算出し、
前記歪度指数を閾値と比較し、
前記比較に基づいて過換気の発生を示すようにさらに構成されている、請求項２１または２２に記載の装置。
【請求項２７】
前記コントローラが、
前記ヒストグラムに関連するデータを処理して前記ヒストグラムのピークの数を検出し、  前記検出されたピークの数に基づいて低換気の有無を示す
ようにさらに構成されている、請求項２１から２３のいずれか一項に記載の装置。
【請求項２８】
前記コントローラが、
前記ヒストグラムに関連するデータを処理して尖度指数を決定し、
前記尖度指数を閾値と比較し、
前記比較に基づいて低換気の有無を示す
ようにさらに構成されている、請求項２１から２４のいずれか一項に記載の装置。
【請求項２９】
流量センサをさらに備え、前記コントローラが、前記流量センサによる呼吸可能ガスの流量の測定を制御するようにさらに構成されている、請求項２１から２５のいずれか一項に記載の装置。
【請求項３０】
大気圧よりも高い圧力で患者のための呼吸可能ガスを発生させるように構成された流れ発生装置をさらに備え、
前記コントローラが、前記流れ発生装置を制御して、（ａ）前記ヒストグラム、（ｂ）前記ヒストグラムのピークの数、（ｃ）前記ヒストグラムに関連するデータから決定された尖度指数、および（ｄ）前記ヒストグラムに関連するデータから決定された歪度指数のうちのいずれか１つまたは複数の評価に基づいて、圧力治療法により前記呼吸可能ガスを発生させるようにさらに構成されている、請求項２９に記載の装置。
【請求項３１】
前記コントローラが、前記ヒストグラムを表すデータを処理して、低換気事象の発生を表す低換気インジケータを生成するように構成されている、請求項２１から２７のいずれか一項に記載の装置。
【請求項３２】
前記低換気インジケータが確率値を含んでいる、請求項３１に記載の装置。
【請求項３３】
前記コントローラが、前記ヒストグラムのピークを検出するように構成されている、請求項３１または３２に記載の装置。
【請求項３４】
前記コントローラが、前記ヒストグラムのピーク間の距離を算出し、前記距離を確率空間に変換するように構成されている、請求項３３に記載の装置。
【請求項３５】
前記コントローラが、前記ヒストグラムのピーク間の勾配を算出するように構成されている、請求項３３または３４に記載の装置。
【請求項３６】
前記コントローラが、前記勾配に対する面積を算出し、前記面積を確率空間に変換するように構成されている、請求項３５に記載の装置。
【請求項３７】
前記コントローラが、前記ヒストグラムの１組の特徴を算出し、前記１組の特徴の評価に基づいて前記インジケータを生成するように構成されている、請求項３１から３３のいずれか一項に記載の装置。
【請求項３８】
前記１組の特徴が、以下の特徴、すなわち、２つの最大ピーク間の勾配、最大ピークと中心点との間の勾配、２番目に大きなピークと中心点との間の勾配、２つの最大ピーク間の面積、最大ピークと中心点との間の面積、２番目に大きなピークと中心点との間の面積、形状特徴、尖度値、および歪度値のうちの２つ以上を含んでいる、請求項３７に記載の装置。
【請求項３９】
前記コントローラが、漏れの測定値を決定し、前記漏れの測定値に基づいて前記ヒストグラムのための前記換気の測定値を区別するように構成されている、請求項２１から３８のいずれか一項に記載の装置。
【請求項４０】
前記コントローラが、換気安定性の測定値を決定し、前記安定性の測定値に基づいて前記ヒストグラムのための前記換気の測定値を区別するように構成されている、請求項２１から３９のいずれか一項に記載の装置。
【請求項４１】
前記コントローラが、覚醒期間、無呼吸事象、周期性呼吸事象、および覚醒事象のうちのいずれか１つまたは複数を検出することにより、前記換気安定性の測定値を決定している、請求項４０に記載の装置。